(57)【要約】【課題】  顧客が保有する服飾品とのコーディネイトにおいて適した商品の情報を提供する。【解決手段】  商品情報提供サーバ１は、顧客が保有する服飾品の属性情報を示す保有品属性情報を端末２から受信すると、保有品属性情報と合致する属性情報を含むコーディネイト情報をコーディネイトＤＢから検索し、検索したコーディネイト情報において、保有品属性情報と合致する属性情報に関連付けられている属性情報を抽出し、抽出した属性情報を検索条件として、服飾商品の属性情報と商品の取扱業者に関する情報を含む商品データが記憶されている商品ＤＢを検索し、検索条件に該当する商品データを抽出する。そして、商品情報提供サーバ１は、抽出した商品データについて、商品の在庫情報の要求を業者サーバ３に送信して在庫情報を受信し、商品データと在庫情報を端末２に送信する。【選択図】  図１
2005222350.tif 000002
【特許請求の範囲】
【請求項１】
服飾商品に関し、商品の属性情報と、商品の取扱業者に関する情報と、を含む商品データが記憶されている商品データベースと、
組み合わせに適した服飾品の属性情報が互いに関連付けられているコーディネイト情報が記憶されているコーディネイトデータベースと、
顧客が保有する服飾品の属性情報である保有品属性情報を端末から受信する受信手段と、
前記保有品属性情報と合致する属性情報を含むコーディネイト情報を前記コーディネイトデータベースから検索する検索手段と、
前記検索したコーディネイト情報において、前記保有品属性情報と合致する属性情報に関連付けられている属性情報を抽出する属性情報抽出手段と、
前記抽出した属性情報を検索条件として前記商品データベースを検索し、検索条件に該当する商品データを抽出する商品データ抽出手段と、
前記抽出した商品データについて、当該商品データが示す商品の在庫情報の要求を、当該商品データが示す取扱業者に関する情報により特定されるコンピュータに送信し、商品の在庫情報を受信する手段と、
前記抽出した商品データと、当該商品データについて受信した商品の在庫情報と、を前記端末に送信する送信手段と、
を備えることを特徴とする商品情報提供サーバ。
【請求項２】
前記商品の属性情報は色情報を含み、
前記コーディネイト情報は、色情報がカラーコーディネイト用に関連付けられているカラーコーディネイト情報と、色情報がカラーセラピーコーディネイト用に関連付けられているカラーセラピーコーディネイト情報と、を含み、
前記受信手段は、顧客が希望するコーディネイトの種別を示すコーディネイト種別情報を前記端末からさらに受信し、
前記検索手段は、前記受信したコーディネイト種別がカラーコーディネイトを示す場合、前記保有品属性情報の色情報を含むカラーコーディネイト情報を検索し、前記受信したコーディネイト種別がカラーセラピーコーディネイトを示す場合、前記保有品属性情報と合致する色情報を含むカラーセラピーコーディネイト情報を検索し、
前記属性情報抽出手段は、前記検索手段により前記カラーコーディネイト情報を検索した場合、当該カラーコーディネイト情報において、前記保有品属性情報の色情報と合致する色情報に関連付けられている色情報を抽出し、前記検索手段により前記カラーセラピーコーディネイト情報を検索した場合、当該カラーセラピーコーディネイト情報において、前記保有品属性情報の色情報と合致する色情報に関連付けられている色情報を抽出し、
前記商品データ抽出手段は、前記属性情報抽出手段により抽出された色情報を、色に関する検索条件として前記商品データベースの検索を行う、
ことを特徴とする請求項１に記載の商品情報提供サーバ。
【請求項３】
前記コーディネイト情報は、服飾品の組み合わせに関するコメントを示すコメント情報をさらに含み、
前記商品データ抽出手段により抽出された商品データについて、当該商品データの検索条件に使用した属性情報の抽出元のコーディネイト情報に含まれるコメント情報を前記コーディネイトデータベースから読み出す手段をさらに備え、
前記送信手段は、前記読み出したコメント情報を前記商品データ及び前記在庫情報とともに前記端末に送信する、
ことを特徴とする請求項１又は２に記載の商品情報提供サーバ。
【請求項４】
コンピュータを用いて、顧客が保有する服飾品との組み合わせに適した商品の情報を提供する商品情報提供方法であって、
顧客が保有する服飾品の属性情報を示す保有品属性情報を端末から受信するステップと、
組み合わせに適した服飾品の属性情報が互いに関連付けられているコーディネイト情報が記憶されているコーディネイトデータベースから、前記保有品属性情報と合致する属性情報を含むコーディネイト情報を検索するステップと、
前記検索したコーディネイト情報において、前記保有品属性情報と合致する属性情報に関連付けられている属性情報を抽出するステップと、
前記抽出した属性情報を検索条件として、服飾商品に関し、商品の属性情報と商品の取扱業者に関する情報とを含む商品データが記憶されている商品データベースを検索し、検索条件に該当する商品データを抽出するステップと、
前記抽出した商品データについて、当該商品データが示す商品の在庫情報の要求を、当該商品データが示す取扱業者に関する情報により特定されるコンピュータに送信し、商品の在庫情報を受信するステップと、
前記抽出した商品データと、当該商品データについて受信した商品の在庫情報と、を前記端末に送信するステップと、
を備えることを特徴とする商品情報提供方法。
【請求項５】
コンピュータに、
顧客が保有する服飾品の属性情報を示す保有品属性情報を端末から受信するステップ、
組み合わせに適した服飾品の属性情報が互いに関連付けられているコーディネイト情報が記憶されているコーディネイトデータベースから、前記保有品属性情報と合致する属性情報を含むコーディネイト情報を検索するステップ、
前記検索したコーディネイト情報において、前記保有品属性情報と合致する属性情報に関連付けられている属性情報を抽出するステップ、
前記抽出した属性情報を検索条件として、服飾商品に関し、商品の属性情報と商品の取扱業者に関する情報とを含む商品データが記憶されている商品データベースを検索し、検索条件に該当する商品データを抽出するステップ、
前記抽出した商品データについて、当該商品データが示す商品の在庫情報の要求を、当該商品データが示す取扱業者に関する情報により特定されるコンピュータに送信し、商品の在庫情報を受信するステップ、
前記抽出した商品データと、当該商品データについて受信した商品の在庫情報と、を前記端末に送信するステップ、
を実行させるプログラム。
【発明の詳細な説明】
【技術分野】
【０００１】
この発明は、顧客が保有する服飾品とのコーディネイトにおいて適した商品を提案するとともに、その商品の在庫情報を顧客に提供する商品情報提供サーバ等に関する。
【背景技術】
【０００２】
商品の販売を促進するために、商品の画像等の商品に関する情報を顧客の端末等に提供するシステムが実現されている。特に服やアクセサリー等の服飾品の商品については、その商品と一緒に身につける服飾品との組み合わせも重要視されることから、顧客が服飾商品の画像データを組み合わせる等してコーディネイトを判断することができるシステムも考案されている。
【０００３】
例えば、ユーザが購入を希望する商品の画像と自己の所有服等の画像を組み合わせた画像をユーザの端末に供給するシステムもある（特許文献１参照）。
【特許文献１】特開２００３−３４６００５号公報（第８頁、第１図）
【発明の開示】
【発明が解決しようとする課題】
【０００４】
しかし、組み合わせ対象の服飾品を顧客自身が選択するようなシステムでは、コーディネイトに関する知識が乏しい顧客の場合、どのような服飾品を組み合わせたらよいか判らないという問題があった。
また、顧客が購入を希望する商品が見つかったとしても、実際にその商品の在庫があるかどうかわからなかった。
また、一般的なコーディネイトだけでなく、カラーコーディネイト等の種々のコーディネイト等に基づく商品の提案を受けられる仕組みの実現が望まれていた。
【０００５】
本発明は、上記実状に鑑みてなされたものであり、顧客が保有する服飾品とのコーディネイトにおいて適した商品の情報を提供することができる商品情報提供サーバ等を提供することを目的とする。
また、本発明は、顧客が保有する服飾品とのコーディネイトにおいて適した商品について、その在庫情報を提供することができる商品情報提供サーバ等を提供することを他の目的とする。
また、本発明は、種々のコーディネイトによる商品の提案が可能な商品情報提供サーバ等を提供することを他の目的とする。
【課題を解決するための手段】
【０００６】
上記目的を達成するため、この発明の第１の観点に係る商品情報提供サーバは、
服飾商品に関し、商品の属性情報と、商品の取扱業者に関する情報と、を含む商品データが記憶されている商品データベースと、
組み合わせに適した服飾品の属性情報が互いに関連付けられているコーディネイト情報が記憶されているコーディネイトデータベースと、
顧客が保有する服飾品の属性情報を示す保有品属性情報を端末から受信する受信手段と、
前記保有品属性情報と合致する属性情報を含むコーディネイト情報を前記コーディネイトデータベースから検索する検索手段と、
前記検索したコーディネイト情報において、前記保有品属性情報と合致する属性情報に関連付けられている属性情報を抽出する属性情報抽出手段と、
前記抽出した属性情報を検索条件として前記商品データベースを検索し、検索条件に該当する商品データを抽出する商品データ抽出手段と、
前記抽出した商品データについて、当該商品データが示す商品の在庫情報の要求を、当該商品データが示す取扱業者に関する情報により特定されるコンピュータに送信し、商品の在庫情報を受信する手段と、
前記抽出した商品データと、当該商品データについて受信した商品の在庫情報と、を前記端末に送信する送信手段と、
を備えることを特徴とする。
【０００７】
このような構成によれば、組み合わせに適した服飾品の属性情報が互いに関連付けられているデータベース等から、顧客が保有する服飾品の属性情報と合致する属性情報に関連付けられている属性情報を抽出し、その属性情報を検索条件として商品データを検索するため、顧客が保有する服飾品とのコーディネイトにおいて適した商品の情報をユーザに提供することができる。また、検索した商品データが示す商品の在庫情報を取扱業者のコンピュータから取得するため、顧客が保有する服飾品との組み合わせに適した商品について、商品データだけでなく在庫情報もユーザに提供することができる。
【０００８】
前記商品の属性情報は色情報を含んでもよく、
前記コーディネイト情報は、色情報がカラーコーディネイト用に関連付けられているカラーコーディネイト情報と、色情報がカラーセラピーコーディネイト用に関連付けられているカラーセラピーコーディネイト情報と、を含んでもよく、
前記受信手段は、顧客が希望するコーディネイトの種別を示すコーディネイト種別情報を前記端末からさらに受信してもよく、
前記検索手段は、前記受信したコーディネイト種別がカラーコーディネイトを示す場合、前記保有品属性情報に含まれる色情報と合致する色情報を含むカラーコーディネイト情報を検索し、前記受信したコーディネイト種別がカラーセラピーコーディネイトを示す場合、前記保有品属性情報に含まれる色情報と合致する色情報を含むカラーセラピーコーディネイト情報を検索してもよく、
前記属性情報抽出手段は、前記検索手段により前記カラーコーディネイト情報を検索した場合、当該カラーコーディネイト情報において、前記保有品属性情報の色情報と合致する色情報に関連付けられている色情報を抽出し、前記検索手段により前記カラーセラピーコーディネイト情報を検索した場合、当該カラーセラピーコーディネイト情報において、前記保有品属性情報の色情報と合致する色情報に関連付けられている色情報を抽出してもよく、
前記商品データ抽出手段は、前記属性情報抽出手段により抽出された色情報を、色に関する検索条件として前記商品データベースの検索を行ってもよい。
【０００９】
前記コーディネイト情報は、服飾品の組み合わせに関するコメントを示すコメント情報をさらに含んでもよく、
前記商品データ抽出手段により抽出された商品データについて、当該商品データの検索条件に使用した属性情報の抽出元のコーディネイト情報に含まれるコメント情報を前記コーディネイトデータベースから読み出す手段をさらに備えてもよく、
前記送信手段は、前記読み出したコメント情報を前記商品データ及び前記在庫情報とともに前記端末に送信してもよい。
【００１０】
また、この発明の第２の観点に係る商品情報提供方法は、
コンピュータを用いて、顧客が保有する服飾品との組み合わせに適した商品の情報を提供する商品情報提供方法であって、
顧客が保有する服飾品の属性情報を示す保有品属性情報を端末から受信するステップと、
組み合わせに適した服飾品の属性情報が互いに関連付けられているコーディネイト情報が記憶されているコーディネイトデータベースから、前記保有品属性情報と合致する属性情報を含むコーディネイト情報を検索するステップと、
前記検索したコーディネイト情報において、前記保有品属性情報と合致する属性情報に関連付けられている属性情報を抽出するステップと、
前記抽出した属性情報を検索条件として、服飾商品に関し、商品の属性情報と商品の取扱業者に関する情報とを含む商品データが記憶されている商品データベースを検索し、検索条件に該当する商品データを抽出するステップと、
前記抽出した商品データについて、当該商品データが示す商品の在庫情報の要求を、当該商品データが示す取扱業者に関する情報により特定されるコンピュータに送信し、商品の在庫情報を受信するステップと、
前記抽出した商品データと、当該商品データについて受信した商品の在庫情報と、を前記端末に送信するステップと、
を備えることを特徴とする。
【００１１】
また、この発明の第３の観点に係るプログラムは、
コンピュータに、
顧客が保有する服飾品の属性情報を示す保有品属性情報を端末から受信するステップ、
組み合わせに適した服飾品の属性情報が互いに関連付けられているコーディネイト情報が記憶されているコーディネイトデータベースから、前記保有品属性情報と合致する属性情報を含むコーディネイト情報を検索するステップ、
前記検索したコーディネイト情報において、前記保有品属性情報と合致する属性情報に関連付けられている属性情報を抽出するステップ、
前記抽出した属性情報を検索条件として、服飾商品に関し、商品の属性情報と商品の取扱業者に関する情報とを含む商品データが記憶されている商品データベースを検索し、検索条件に該当する商品データを抽出するステップ、
前記抽出した商品データについて、当該商品データが示す商品の在庫情報の要求を、当該商品データが示す取扱業者に関する情報により特定されるコンピュータに送信し、商品の在庫情報を受信するステップ、
前記抽出した商品データと、当該商品データについて受信した商品の在庫情報と、を前記端末に送信するステップ、
を実行させる。
【発明の効果】
【００１２】
本発明によれば、顧客が保有する服飾品とのコーディネイトにおいて適した商品の情報を提供することができる。
【発明を実施するための最良の形態】
【００１３】
以下、本発明の実施の形態に係る商品情報提供システムについて図面を参照して説明する。
本発明の実施形態に係る商品情報提供システムの構成例を図１に示す。図示されるように、この商品情報提供システムは、商品情報提供サーバ１と、端末２と、業者サーバ３と、を備え、これらはインターネット等のネットワーク１０を介して接続可能に構成されている。
【００１４】
商品情報提供サーバ１は、服飾商品の情報を顧客に提供するためのサーバであり、例えば図２に示すように、制御部１１、記憶部１２、通信制御部１３を備えるコンピュータから構成される。
【００１５】
制御部１１は、ＣＰＵ（Central Processing Unit）、ＲＯＭ（Read Only Memory）、ＲＡＭ（Random Access Memory）等から構成され、商品情報提供サーバ１全体を制御する。制御部１１は、記憶部１２に予め記憶された動作プログラム等を読み出して実行することにより、顧客の保有する服飾品とのコーディネイトにおいて適した商品を検索するための属性情報を特定する属性情報特定部１１１、属性情報特定処理により特定された属性情報等に基づいて商品を検索する商品検索部１１２、商品検索処理により検索された商品の在庫情報を各商品の在庫情報を管理する商品の取扱業者の業者サーバ３に要求して取得する在庫情報取得部１１３、商品検索処理により検索された各商品について、商品情報、在庫情報、コーディネイトに関するコメント等の情報を要求元の端末２に送信する商品情報送信部１１４等を論理的に実現する。
【００１６】
属性情報特定部１１１は、顧客から商品情報の検索するために必要な各種データを端末２から受信する。
具体的には、例えば、顧客の購入希望商品に関する情報（購入希望商品情報）と、顧客の保有する服飾品であって、購入希望商品と組み合わせて着用する服飾品の属性情報（保有品属性情報）と、顧客に関する顧客情報と、顧客が選択したコーディネイトコースを示す希望コーディネイト種別等の情報を入力させる入力画面（検索情報入力画面）を端末２に送信し、この検索情報入力画面に対する入力データを端末２から受信する。
【００１７】
購入希望商品情報は、例えば、顧客が購入を希望する商品の服飾品種別、予算等の情報を含む。また、保有品属性情報は、例えば、購入希望商品と組み合わせて着用される顧客の保有アイテムの属性情報（服飾品種別、色、形状、柄等の情報）を含む。顧客情報は、例えば、顧客の性別、年齢、身長、体重等の情報を含む。希望コーディネイト種別は、予め設定された複数のコーディネイトコースから顧客が選択したコーディネイトコースを示すものであり、選択肢となる複数のコーディネイトコースは、例えば一般的なスタイルコーディネイト、配色の良さ等に基づくカラーコーディネイト、色彩療法（カラーセラピー）に基づくカラーセラピーコーディネイト等を含む。
【００１８】
属性情報特定部１１１は、端末２から受信した上記の各種情報を用いて、選択されたコーディネイトコースに応じて、記憶部１２のコーディネイトＤＢ（データベース）１２１に記憶されている各種テーブルから、購入希望商品の検索条件となる属性情報を抽出する。コーディネイトＤＢ１２１に記憶されているテーブルは、例えば、スタイルコーディネイト用テーブル、カラーコーディネイト用テーブル、カラーセラピーコーディネイト用テーブル等を含む。
【００１９】
スタイルコーディネイト用テーブルには、例えば図３に示すような、コーディネイトＩＤ、組み合わせに適した２つの服飾品（第１の服飾品、第２の服飾品）の属性情報（第１の服飾品の属性情報、第２の服飾品の属性情報）、第１と第２の服飾品の組み合わせに対するコメントを示すコメント情報等の情報が関連付けられているコーディネイト情報が登録されている。
また、カラーコーディネイト用テーブルには、例えば図４に示すように、コーディネイトＩＤ、配色の良さ等に基づく、組み合わせに適した二色（第１の色、第２の色）の色情報（第１の色情報、第２の色情報）、第１と第２の色の組み合わせに対するコメントを示すコメント情報等の情報が関連付けられているカラーコーディネイト情報が登録されている。
また、カラーセラピーコーディネイト用テーブルには、例えば図５に示すように、コーディネイトＩＤ、カラーセラピーに基づく組み合わせに適した二色（第１の色、第２の色）の色情報（第１の色情報、第２の色情報）、第１と第２の色の組み合わせに対するコメントを示すコメント情報等の情報が関連付けられているカラーセラピーコーディネイト情報が登録されている。
【００２０】
希望コーディネイト種別がスタイルコーディネイトを示す場合、属性情報特定部１１１は、記憶部１２のコーディネイトＤＢ１２１のスタイルコーディネイト用テーブルに登録されているコーディネイト情報において、端末２から受信した保有品属性情報（服飾品種別、色、形状、柄等）と同じ内容の属性情報を含み、且つ、その保有品属性情報に合致する属性情報に関連付けられている属性情報における服飾品種別が、購入希望商品情報における服飾品種別と合致するようなコーディネイト情報を検索する。そして、該当するコーディネイト情報を検索すると、そのコーディネイト情報において、保有品属性情報と合致する属性情報に関連付けられている属性情報（即ち、購入希望商品情報が示す服飾品種別が設定されている属性情報）を購入希望商品を検索するための属性情報（検索用属性情報）として抽出する。なお、このコーディネイトの検索では、端末２から受信したデータ内容と完全に一致するものが登録されていない場合には、所定データ項目（例えば、保有品属性情報が示す服飾品種及び色と、購入希望商品情報が示す服飾品種別）が一致するコーディネイト情報を検索してもよい。また、属性情報特定部１１１は、検索したコーディネイト情報に含まれるコメント情報を取り出し、検索用属性情報と関連付けて記憶部１２に一時的に記憶する。
【００２１】
また、希望コーディネイト種別がカラーコーディネイトを示す場合、属性情報特定部１１１は、上述のスタイルコーディネイト用テーブルの検索を行って、検索したコーディネイト情報から検索用属性情報を抽出するとともに、コーディネイトＤＢ１２１におけるカラーコーディネイト用テーブルに登録されているカラーコーディネイト情報において、端末２から受信した保有品属性情報における色情報と同じ内容の色情報を含むものを検索する。そして、該当するカラーコーディネイト情報を検索すると、そのカラーコーディネイト情報において、保有品属性情報における色情報と合致する色情報に関連付けられている色情報を抽出し、抽出した色情報で、先に抽出した検索用属性情報における色情報を更新する。即ち、先に検索した検索用属性情報に色の情報が含まれている場合には、その色の情報を削除等して、カラーコーディネイト用テーブルから読み出した色情報を追加する。また、属性情報特定部１１１は、検索したカラーコーディネイト情報に含まれるコメント情報を取り出し、検索用属性情報と関連付けて記憶部１２に一時的に記憶する。
【００２２】
また、希望コーディネイト種別がカラーセラピーコーディネイトを示す場合、属性情報特定部１１１は、上述のスタイルコーディネイト用テーブルの検索を行って、検索したコーディネイト情報から検索用属性情報を抽出するとともに、コーディネイトＤＢ１２１におけるカラーセラピーコーディネイト用テーブルに登録されているカラーセラピーコーディネイト情報において、端末２から受信した保有品属性情報が示す色情報を含むものを検索する。そして、該当するカラーセラピーコーディネイト情報を検索すると、そのカラーセラピーコーディネイト情報において、保有品属性情報における色情報と合致する色情報に関連付けられている色情報を抽出し、抽出した色情報で、先に抽出した検索用属性情報における色情報を更新する。即ち、先に検索した検索用属性情報に色の情報が含まれている場合には、その色の情報を削除等して、カラーセラピーコーディネイト用テーブルから読み出した色情報を追加する。また、属性情報特定部１１１は、検索したカラーセラピーコーディネイト情報に含まれるコメント情報を取り出し、検索用属性情報と関連付けて記憶部１２に一時的に記憶する。
【００２３】
商品検索部１１２は、検索用属性情報と、端末２から受信した購入希望商品情報、顧客情報等に基づく検索条件を用いて、記憶部１２の商品ＤＢ１２２から商品データを検索し、記憶部１２の所定領域（検索結果ディレクトリ等）に記憶する。なお、商品ＤＢ１２２に登録されている商品データは、例えば図６に示すように、商品の商品コード、服飾品種別、色、形状、柄、サイズ、価格、性別（例えば、男性向き、女性向き）、年齢（例えば、２０代、３０代、・・・）、商品の取扱業者の業者サーバのアドレス等の情報を含む。
【００２４】
商品データの検索処理では、商品検索部１１２は、例えば、「服飾品種別」、「色」、「形状」、「柄」、「サイズ」、「価格」、「性別」、「年齢層」等の項目（検索条件項目）について検索式を生成し、生成した検索式に該当する商品データを商品ＤＢ１２２から検索する。検索条件項目「服飾品種別」、「色」、「形状」、「柄」、「性別」については、例えば、検索用属性情報に含まれる服飾品種別、色、形状、柄のデータと顧客情報に含まれる性別のデータに一致するものを検索する検索式を生成する。また、検索条件項目「サイズ」については、例えば、顧客情報における所定項目（顧客の性別、身長等）からサイズを決定し、その決定したサイズと一致するものを検索する検索式を生成する。サイズの決定方法は任意であり、例えば、身長とサイズを対応付ける性別毎のサイズテーブルを記憶部１２に記憶しておき、商品検索部１１２が、顧客の性別に応じたサイズテーブルを参照して、顧客の身長に対応するサイズを決定してもよい。また、検索条件項目「価格」については、例えば、購入希望商品情報に含まれる予算に基づいて予算以下の価格が設定されている商品データを検索するような検索式（例えば価格≦予算）を生成する。また、予算の１．２倍の金額以下の価格が設定されている商品データを検索する検索式（例えば、価格≦予算×１．２）を生成するようにしてもよい。また、検索条件項目「年齢層」については、例えば、顧客情報に含まれる年齢のデータから年齢層を決定し、その決定した年齢層と一致するものを検索する検索式を生成する。年齢層の決定方法は任意であり、例えば、年齢の幅（例えば、１０〜１９、２０〜２９、３０〜３９、・・・等）と、年齢層（１０代、２０代、３０代、・・・等）と、を対応付ける年齢テーブルを記憶部１２に記憶しておき、商品検索部１１２が、年齢テーブルを参照して顧客の年齢に対応する年齢層を決定してもよい。
【００２５】
また、商品検索部１１２は、検索した商品データについて、その検索条件に用いた検索用属性情報に関連付けて記憶されているコメント情報を特定し、検索した商品データに含まれる商品コードを付与する。
【００２６】
在庫情報取得部１１３は、商品検索部１１２により検索された商品データに対応する商品の在庫情報を、その商品の国内取扱業者の業者サーバ３に要求して取得する。
具体的には、在庫情報取得部１１３は、検索された商品データに含まれる国内取扱業者の業者サーバ３のアドレスを用いて業者サーバ３に接続し、商品の在庫状況を示す在庫情報の要求を、検索した商品データに含まれる商品コードとともに送信する。そして、業者サーバ３から商品コード及び在庫情報を受信し、受信データを記憶部１２に記憶する。在庫情報は、例えば、在庫数等のデータを含む。
また、在庫情報取得部１１３は、端末２からの海外在庫の検索要求を商品コードとともに受信すると、その商品コードを含む商品データを商品ＤＢ１２２から検索し、検索した商品データに含まれる海外取扱業者の業者サーバ３のアドレスを用いて業者サーバ３に接続し、在庫情報の要求を、端末２から受信した商品コードとともに送信する。そして、業者サーバ３から商品コード及び在庫情報を受信し、受信した在庫情報を表示する画面データを検索要求元の端末２に送信する。
【００２７】
商品情報送信部１１４は、商品検索部１１２により検索された各商品データについて、商品コードをキーとして、これに関連する在庫情報、コメント情報、商品の画像データ等を記憶部１２から読み出し、商品データの一部（例えば、商品コード、服飾品種別、サイズ、価格等）又は全部、在庫情報、コメント情報、商品の画像データ等を表示する画面（商品情報提供画面）のデータを生成して要求元の端末２に送信する。商品情報表示画面の一例を図７に示す。商品情報表示画面は、例えば、各商品データについて、その商品の海外在庫の検索を要求するための要求ボタン等を含んでも良い。そして、この検索ボタンの押下に応じて、対応する商品の海外在庫の検索要求が商品情報提供サーバ１に送信されるように設定してもよい。
【００２８】
記憶部１２は、例えば、ハードディスク装置等から構成され、制御部１１が実行するための動作プログラム及び処理に必要な各種データ等を記憶する。
また、記憶部１２は、コーディネイトＤＢ１２１、商品ＤＢ１２２等を備える。
コーディネイトＤＢ１２１は、スタイルコーディネイト用テーブル（図３参照）、カラーコーディネイト用テーブル（図４参照）、カラーセラピーコーディネイト用テーブル（図５参照）等を記憶する。
また、商品ＤＢ１２２は、商品データ（図６参照）と、商品コードが付与されている商品の画像データ等を記憶する。なお、商品ＤＢ１２２に登録される商品データは、例えば、各業者が取扱商品の商品データ及び画像データを業者サーバ３を用いて登録要求とともに商品情報提供サーバ１に送信し、商品情報提供サーバ１の制御部１１が、受信した商品データ及び画像データを商品ＤＢ１２２に登録するようにしてもよい。
【００２９】
通信制御部１３は、ネットワーク１０を介して他のコンピュータとの間のデータ通信を制御する。
【００３０】
端末２は、制御部、記憶部、表示部、入力部、通信制御部等を備えるコンピュータから構成される。端末２の制御部は、記憶部に予め記憶された動作プログラム等を読み出して実行することにより、ネットワーク１０を介して商品情報提供サーバ１に接続し、商品情報提供サーバ１から各種画面データを受信して表示するとともに、表示画面に対する入力を入力部から受け付けて、入力されたデータ等を商品情報提供サーバ１に送信する処理等を行う。
【００３１】
業者サーバ３は、商品の取扱業者（国内取扱業者、海外取扱業者）が保有するサーバであって、例えば図８に示すように、記憶部３１、制御部３２、表示部３３、入力部３４、通信制御部３５等を備えるコンピュータから構成される。
【００３２】
記憶部３１は、例えば、ハードディスク装置等から構成され、制御部３２が実行するための動作プログラム及び処理に必要な各種データ等を記憶する。
また、記憶部３１は、業者が取り扱う各商品について、商品コードと、在庫状況を示す在庫情報と、が関連付けて記憶されている在庫ＤＢ３１１を備える。なお、商品の国内取扱業者の業者サーバ３には、商品の国内在庫に関する在庫情報が記憶され、商品の海外取扱業者の業者サーバ３には、商品の海外在庫に関する在庫情報が記憶される。
【００３３】
制御部３２は、記憶部３１に予め記憶された動作プログラム等を読み出して実行することにより、ネットワーク１０を介して、商品情報提供サーバ１から商品コードとともに在庫情報の要求を受信し、これに応じて、受信した商品コードに関連付けられている在庫情報を在庫ＤＢ３１１から読み出して、要求元の商品情報提供サーバ１に送信する。
【００３４】
表示部３３は、例えば、ＣＲＴ、液晶ディスプレイ等から構成され、各種画面表示を行う。
入力部３４は、例えばキーボードやポインティングデバイスを含む入力装置から構成され、入力されたデータを制御部３２に通知する。
通信制御部３５は、ネットワーク１０を介して他のコンピュータとの間のデータ通信を制御する。
【００３５】
次に、本実施形態に係る商品情報提供システムにおける商品情報提供サーバ１による商品情報提供処理について、図９のフローチャートを用いて具体的に説明する。
例えば、顧客が端末２を操作して、商品情報提供サーバ１に接続すると、これに応じて、商品情報提供サーバ１の制御部１１は、購入希望商品情報と保有品属性情報と顧客情報と希望コーディネイト種別等のデータを入力させる検索情報入力画面のデータを端末２に送信し、購入希望商品情報と保有品属性情報と顧客情報と希望コーディネイト種別等の入力データを受信する（ステップＳ１）。
【００３６】
次に、端末２から受信した希望コーディネイト種別を判別し（ステップＳ２）、希望コーディネイト種別が「スタイルコーディネイト」である場合、制御部１１は、コーディネイトＤＢ１２１のスタイルコーディネイト用テーブルから、保有品属性情報と同じ内容の属性情報を含み、且つ、その属性情報に関連付けられている属性情報における服飾品種別が購入希望商品情報における服飾品種別と合致するようなコーディネイト情報を検索し、検索したコーディネイト情報において、保有品属性情報に該当する属性情報に関連付けられている属性情報を、購入希望商品情報を検索するための検索用属性情報として抽出する（ステップＳ３）。また、この際、検索したコーディネイト情報に含まれるコメント情報を読み出して、抽出した検索用属性情報と関連付けて記憶部１２に記憶する。
【００３７】
また、ステップＳ２において、端末２から受信した希望コーディネイト種別が「カラーコーディネイト」と判別した場合、制御部１１は、コーディネイトＤＢ１２１のスタイルコーディネイト用テーブルとカラーコーディネイト用テーブルを用いて検索用属性情報を抽出する（ステップＳ４）。具体的には、コーディネイトＤＢ１２１のスタイルコーディネイト用テーブルから、保有品属性情報と同じ内容の属性情報を含み、且つ、その属性情報に関連付けられている属性情報における服飾品種別が購入希望商品情報における服飾品種別と合致するようなコーディネイト情報を検索し、検索したコーディネイト情報において、保有品属性情報に該当する属性情報に関連付けられている属性情報を、購入希望商品情報を検索するための検索用属性情報として抽出するとともに、コーディネイトＤＢ１２１のカラーコーディネイト用テーブルから、保有品属性情報に含まれる色情報と同じ内容の色情報を含むカラーコーディネイト情報を検索し、検索したカラーコーディネイト情報から、保有品属性情報の色情報と合致する色情報に関連付けられている色情報を取り出し、検索属性情報の色情報を更新する。また、この際、検索したカラーコーディネイト情報に含まれるコメント情報を読み出し、検索用属性情報を関連付けて記憶部１２に記憶する。
【００３８】
また、ステップＳ２において、端末２から受信した希望コーディネイト種別が「カラーセラピーコーディネイト」と判別した場合、制御部１１は、コーディネイトＤＢ１２１のスタイルコーディネイト用テーブルとカラーセラピーコーディネイト用テーブルを用いて検索用属性情報を抽出する（ステップＳ５）。具体的には、コーディネイトＤＢ１２１のスタイルコーディネイト用テーブルから保有品属性情報と同じ内容の属性情報を含み、且つ、その属性情報に関連付けられている属性情報における服飾品種別が購入希望商品情報における服飾品種別と合致するようなコーディネイト情報を検索し、検索したコーディネイト情報において、保有品属性情報に該当する属性情報に関連付けられている属性情報を、購入希望商品情報を検索するための検索用属性情報として抽出するとともに、コーディネイトＤＢ１２１のカラーセラピーコーディネイト用テーブルから、保有品属性情報に含まれる色情報と同じ内容の色情報を含むカラーセラピーコーディネイト情報を検索し、検索したカラーセラピーコーディネイト情報から、保有品属性情報の色情報と合致する色情報に関連付けられている色情報を取り出し、検索属性情報の色情報を更新する。また、この際、検索したカラーセラピーコーディネイト情報に含まれるコメント情報を読み出し、検索用属性情報を関連付けて記憶部１２に記憶する。
【００３９】
次に、制御部１１は、検索用属性情報、購入希望商品情報、顧客情報等を用いて商品データの検索条件を設定し、商品ＤＢ１２２から検索条件に該当する商品データを検索し、検索結果を記憶部１２に記憶する（ステップＳ６）。
次に、制御部１１は、ステップＳ６で検索した商品データに対応する商品の在庫情報の要求を、商品データに含まれる商品の国内取扱業者の業者サーバ３のアドレスに送信し、業者サーバ３から在庫情報を受信し、商品コードとともに記憶部１２に記憶する（ステップＳ７）。
【００４０】
次に、制御部１１は、ステップＳ６で検索した各商品データについて、商品コードをキーとして、これに関連する在庫情報、コメント情報、商品の画像データ等を記憶部１２から読み出し、商品データ、在庫情報、コメント情報、商品の画像データ等を表示する商品情報提供画面のデータを生成して端末２に送信する（ステップＳ８）。
そして、端末２から商品の海外在庫の検索要求を受信しない場合には（ステップＳ９：ＮＯ）、そのまま本処理を終了し、また、海外在庫の検索要求を受信した場合には（ステップＳ９：ＹＥＳ）、検索要求とともに受信した商品コードに対応する商品データに含まれる商品の海外取扱業者の業者サーバ３のアドレスに、商品の在庫情報の要求を送信し、これに対する在庫情報を受信する（ステップＳ１０）。そして、受信した在庫情報を表示する画面データを生成し、要求元の端末２に送信して（ステップＳ１１）、本処理を終了する。
【００４１】
以上説明したように、本発明によれば、組み合わせに適した服飾品の属性情報が互いに関連付けられているデータベース等から、顧客が保有する服飾品の属性情報に関連付けられている属性情報を抽出し、その属性情報を検索条件として商品データを検索するため、顧客が保有する服飾品とのコーディネイトにおいて適した商品の情報をユーザに提供することができる。また、検索した商品データが示す商品の在庫情報を取扱業者のコンピュータから取得するため、顧客が保有する服飾品との組み合わせに適した商品について、商品データだけでなく在庫情報もユーザに提供することができる。
【００４２】
なお、各テーブルの構成は任意であり、例えば、カラーコーディネイト用テーブルが、スタイルコーディネイト用テーブルと同様の項目を有するようにしてもよい。この場合、制御部１１は、スタイルコーディネイト用テーブルを検索せずに、カラーコーディネイト用テーブルから検索用属性情報の特定に必要な全情報を検索して取得する。カラーセラピーコーディネイト用テーブルについても同様である。
また、図９を参照して説明した商品情報提供処理において、例えば、ステップＳ３、Ｓ４、Ｓ５で、検索したコーディネイト情報から、服飾品種別が購入希望商品情報における服飾品種別と合致する属性情報を検索用属性情報として抽出するようにしてもよい。
【００４３】
また、上記説明では、検索用属性情報を抽出する際に、保有品属性情報と同じ内容の属性情報を含み、且つ、その属性情報に関連付けられている属性情報における服飾品種別が、購入希望商品情報における服飾品種別と合致するようなコーディネイトを検索するようにしているが、これに限定されず、例えば、保有品属性情報と同じ内容の属性情報を含むコーディネイト情報を検索し、そのコーディネイト情報において、保有品属性情報に合致する属性情報に関連付けられている属性情報を、検索用属性情報として抽出するようにしてもよい。これにより、検索される商品種別の幅が広がり、種々の商品のデータをユーザに提供できる。また、購入希望商品として服飾品種別が入力されない場合等に、保有品属性情報と同じ内容の属性情報を含むコーディネイト情報を検索し、検索したコーディネイトから検索用属性情報として抽出するようにしてもよい。
【００４４】
なお、この発明のシステムは、専用のシステムによらず、通常のコンピュータシステムを用いて実現可能である。例えば、上述の動作を実行するためのプログラムをコンピュータ読み取り可能な記録媒体（ＦＤ、ＣＤ−ＲＯＭ、ＤＶＤ等）に格納して配布し、該プログラムをコンピュータにインストールすることにより、上述の処理を実行する商品情報提供サーバ１、端末２、業者サーバ３等を構成してもよい。また、インターネット等のネットワーク１０上のサーバ装置が有するディスク装置に格納しておき、例えばコンピュータにダウンロード等するようにしてもよい。
また、上述の機能を、ＯＳが分担又はＯＳとアプリケーションの共同により実現する場合等には、ＯＳ以外の部分のみを媒体に格納して配布してもよく、また、コンピュータにダウンロード等してもよい。
【図面の簡単な説明】
【００４５】
【図１】本発明の実施形態に係る商品情報提供システムの構成を示す図である。
【図２】商品情報提供サーバの構成例を示す図である。
【図３】スタイルコーディネイト用テーブルに登録されるデータを説明するための図である。
【図４】カラーコーディネイト用テーブルに登録されるデータを説明するための図である。
【図５】カラーセラピーコーディネイト用テーブルに登録されるデータを説明するための図である。
【図６】商品データの一例を示す図である。
【図７】商品情報表示画面の一例を示す図である。
【図８】業者サーバの構成例を示す図である。
【図９】商品情報提供処理を説明するためののフローチャートである。
【符号の説明】
【００４６】
１            商品情報提供サーバ
２            端末
３            業者サーバ
１０          ネットワーク
１１、３２    制御部
１２、３１    記憶部
１３、３５    通信制御部
１１１        属性情報特定部
１１２        商品検索部
１１３        在庫情報取得部
１１４        商品情報送信部
１２１        コーディネイトＤＢ
１２２        商品ＤＢ
３３          表示部
３４          入力部
３１１        在庫ＤＢ
【図１】
2005222350.tif 000003
【図２】
2005222350.tif 000004
【図３】
2005222350.tif 000005
【図４】
2005222350.tif 000006
【図５】
2005222350.tif 000007
【図６】
2005222350.tif 000008
【図７】
2005222350.tif 000009
【図８】
2005222350.tif 000010
【図９】
2005222350.tif 000011